(57)【要約】【課題】プラテンローラに動力を伝達する動力伝達手段の左右のバランスをとることができるようにする。【解決手段】装置本体と、この装置本体内に設けられ、用紙に印字するたサーマルヘッドと、このサーマルヘッドによって印字される用紙を支持するプラテンローラ５と、このプラテンローラ５のローラ面より下で、このローラ面に対向する位置で、装置本体に設けられた駆動モータ６と、この駆動モータ６の動力を第１及び第２の動力伝達系１１ａ、１１ｂを介してプラテンローラ５の両端部に伝達して回転させる動力伝達手段１１とを具備する。【選択図】    図２
2010052349.tif 000002
【特許請求の範囲】
【請求項１】
装置本体と、
この装置本体内に設けられ、記録媒体に印字する印字ヘッドと、
この印字ヘッドによって印字される前記記録媒体を支持するプラテンローラと、
このプラテンローラのローラ面より下で、このローラ面に対向する位置で、装置本体に設けられた駆動モータと、
この駆動モータの動力を第１及び第２の動力伝達系を介して前記プラテンローラの両端部に伝達して回転させる動力伝達手段と
を具備することを特徴とする印刷装置。
【請求項２】
前記第１及び第２の動力伝達系は、複数個のギアによって構成されるギア列であることを特徴とする請求項１記載の印刷装置。
【請求項３】
前記装置本体は、両側面部に係止部を配置するとともに、内部に前記プラテンローラ、前記駆動モータ、及び前記動力伝達手段を配設する下部筐体と、この下部筐体に開閉自在に取り付けられ、両側面部に前記係止部に係脱自在に係止するロック部材を配置するとともに、内部に前記印字ヘッドを有する上部筐体とを備えて構成されることを特徴とする請求項１または２記載の印刷装置。
【発明の詳細な説明】
【技術分野】
【０００１】
本発明は、ＰＯＳ、ＥＣＲ、バーコード、軽量器などに使用される印刷装置に関し、特に、記録媒体の搬送機構の安定、向上を図る技術に関する。
【背景技術】
【０００２】
この種の印刷装置は、記録媒体に圧接して印字する印字ヘッドと、この印字ヘッドが圧接される記録媒体を支持するプラテンローラと、このプラテンローラを回転駆動する駆動機構とを有して構成されている。駆動機構は、駆動モータと、この駆動モータの動力をプラテンローラの両端部に伝達する動力伝達機構としてのギア列とを有して構成されている（例えば、特許文献１参照。）。
【特許文献１】特開２００１−３８９７２号
【発明の開示】
【発明が解決しようとする課題】
【０００３】
しかしながら、従来においては、駆動モータがプラテンローラのローラ軸の左右端のどちらか一方に片よって設置され、駆動モータの駆動力が最初にそのローラ軸の一端に付けられたギアに伝達され、その後、ローラ軸の他端に付けられたギアに伝達される。
【０００４】
このため、プラテンローラの左右に伝達される動力の左右のバランスをとることが困難となり、記録媒体の搬送が不安定化してサーマルヘッドとプラテンローラと間の接触圧が軸方向に沿って均一なとならず、良好な印字画質を得ることができないという問題があった。
【０００５】
本発明は上記事情に着目してなされたもので、その目的とするところは、プラテンローラに動力を伝達する動力伝達手段の左右のバランスをとることができるようにした印刷装置を提供することにある。
【課題を解決するための手段】
【０００６】
上記課題を解決するため、請求項１記載のものは、装置本体と、この装置本体内に設けられ、記録媒体に印字する印字ヘッドと、この印字ヘッドによって印字される前記記録媒体を支持するプラテンローラと、このプラテンローラのローラ面より下で、このローラ面に対向する位置で、装置本体に設けられた駆動モータと、この駆動モータの動力を第１及び第２の動力伝達系を介して前記プラテンローラの両端部に伝達して回転させる動力伝達手段とを具備することを特徴とする。
【発明の効果】
【０００７】
本発明によれば、プラテンローラに動力を伝達する動力伝達手段の左右のバランスをとることができ、記録媒体の搬送が安定化するとともに、良好な印字画質を得ることができる。
【発明を実施するための最良の形態】
【０００８】
以下、本発明の実施の形態を図面を参照して詳細に説明する。  
図１は本発明の一実施の形態である印刷装置１を示すものである。
【０００９】
印刷装置１は装置本体１ａを備え、この装置本体１ａは下部筐体２と、この下部筐体２に開閉自在に設けられる上部筐体３を備えている。下部筐体２内の上部側にはプラテンローラ５が設けられ、下部側にはプラテンローラ５を回転駆動させるための駆動モータ６が設けられている。上部筐体３内には、印字ヘッドとしてのサーマルヘッド７が設けられている。
【００１０】
また、上部筐体３の両側面部には、ロック部材としてのロックレバー９ａ，９ｂが配設され、下部筐体２の両側面部には、係止部としての係止ピン１０ａ，１０ｂが突設されている。上部筐体３が閉じられると、サーマルヘッド７がプラテンローラ５に対向されるとともに、ロックレバー９ａ，９ｂが係止ピン１０ａ，１０ｂに係脱自在に係止されてロックされるようになっている。
【００１１】
図２は、下部筐体２内に配設される駆動モータ６、及びその動力をプラテンローラ５に伝達するための動力伝達手段１１を示すものである。
【００１２】
駆動モータ６は、下部筐体２内においてプラテンローラ５の下であって、プラテンローラ５のローラ面に対向する位置に設けられる。そのモータ軸６ａにはモータ用ギア２１が取り付けられている。プラテンローラ５のシャフト両端部にはプラテン用ギア１４ａ，１４ｂが取り付けられている。
【００１３】
駆動モータ６のモータ用ギア２１の一側部側は、回転方向変換ギア１７ａを介してプラテン用ギア１４ａに接続されるとともに、他側部側は回転方向変換ギア１７ｂを介してプラテン用ギア１４ｂに接続されている。
【００１４】
上記した回転方向変換ギア１７ａさらにプラテン用ギア１４ａにより第１の動力伝達系１１ａが構成され、上記した回転方向変換ギア１７ｂさらにプラテン用ギア１４ｂにより第２の動力伝達系１１ｂが構成されている。これら第１及び第２の動力伝達系１１ａ，１１ｂにより、プラテンローラ５の下部に設置した駆動モータ６の駆動力を、プラテンローラ５の軸方向左右に分けてプラテンローラ５の左右に伝達するための動力伝達手段１１が構成されている。
【００１５】
上記した構成において、印刷時には駆動モータ６が回転され、モータ用ギア２１が回転される。このモータ用ギア２１の回転により回転方向変換ギア１７ａ，１７ｂさらにプラテン用ギア１４ａ，１４ｂが矢印で示すように回転され、プラテンローラ５が矢印で示すように回転される。この回転により、プラテンローラ５とサーマルヘッド７とにより記録媒体としての用紙（図示しない）が挟持搬送されて印刷されることになる。
【００１６】
上記したように、この実施の形態によれば、駆動モータ６を、下部筐体２における、プラテンローラ５のローラー面より下で、このローラ面に対向する位置に設け、第１及び第２の動力伝達系１１ａ，１１ｂによって駆動モータ６の駆動力を略均等に分けてプラテンローラ５の左右に設けたプラテン用ギア１４ａ，１４ｂに伝達できる。
【００１７】
従って、用紙の搬送が安定化するとともに、サーマルへッド７がプラテンローラ５に対しその軸方向に沿って均一な接触圧で接触し、良好な印字画質を得ることができる。
【００１８】
図３は本発明の第２の実施の形態を示すものである。
【００１９】
なお、上記した第１の実施の形態で示した部分と同一部分については、同一番号を付してその詳細な説明を省略する。
【００２０】
この第２の実施の形態では、駆動モータ６のモータ用ギア１３の一側部側は、連結ギア１６ａ及び回転方向変換ギア１７ａを介してプラテン用ギア１４ａに接続されるとともに、他側部側は連結ギア１６ｂ及び回転方向変換ギア１７ｂを介してプラテン用ギア１４ｂに接続されている。モーター用ギア１３の矢印方向の回転により、連結ギア１６ａ，１６ｂ及び回転方向変換ギア１７ａ，１７ｂさらにプラテン用ギア１４ａ，１４ｂが矢印で示すように回転され、プラテンローラ５が矢印で示すように回転される。
【００２１】
この第２の実施の形態においても、上記した第１の実施の形態と同様の作用効果を得ることができる。更に、連結ギア１６ａ，１６ｂを設けることによって、実施例１に比べて、プラテンローラ５の長さが長い、大型の印刷装置１に対応できる。
【００２２】
図４は本発明の第３の実施の形態を示すものである。
【００２３】
なお、上記した第１の実施の形態で示した部分と同一部分については、同一番号を付してその詳細な説明を省略する。
【００２４】
この第３の実施の形態では、回転方向変換ギア１７ａをプラテン用ギア１４ａの上部側から接続している。
【００２５】
モータ用ギア１３の回転により連結ギア１６ａ，１６ｂ及び回転方向変換ギア１７ａ，１７ｂが矢印方向に回転され、プラテン用ギア１４ａ，１４ｂを介してプラテンローラ５が矢印方向に回転駆動される。
【００２６】
この第３の実施の形態においても、上記した２の実施の形態と同様の作用効果を得ることができる。
【００２７】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【図面の簡単な説明】
【００２８】
【図１】本発明の一実施の形態である印刷装置を示す斜視図。
【図２】図１の印刷装置に設けられるプラテンローラの駆動機構を示す正面図。
【図３】本発明の第２の実施の形態であるプラテンローラの駆動機構を示す正面図。
【図４】本発明の第３の実施の形態であるプラテンローラの駆動機構を示す正面図。
【符号の説明】
【００２９】
１ａ…装置本体、２…下部筐体、３…上部筐体、５…プラテンローラ、６…駆動モータ
７…サーマルヘッド（印字ヘッド）、９ａ，９ｂ…ロックレバー（ロック部材）、１０ａ，１０ｂ…係止ピン（係止部）、１１ａ，１１ｂ…第１及び第２の動力伝達系、１１…動力伝達手段、１４ａ、１４ｂ，１６ａ，１６ｂ，１７ａ，１７ｂ…複数個のギア。
【図１】
2010052349.tif 000003
【図２】
2010052349.tif 000004
【図３】
2010052349.tif 000005
【図４】
2010052349.tif 000006